【手続補正書】
【提出日】平成20年2月29日(2008.2.29)
【手続補正１】
【補正対象書類名】明細書
【補正対象項目名】特許請求の範囲
【補正方法】変更
【補正の内容】
【特許請求の範囲】  
【請求項１】
レンズ鏡筒の外周に着脱可能に装着され、カメラアクセサリを支持するアクセサリ装着装置であって、
装置本体の周方向複数箇所において、レンズ鏡筒側に環状形成された係合溝部に対して係合可能な係合位置と係合解除が可能な解除位置とに移動可能に支持されるとともに、前記係合位置の方向に付勢された複数の係合部材と、
前記装置本体の周方向に回動可能であって、回動時に前記複数の係合部材を前記係合位置の方向への付勢力に抗して前記解除位置に移動させる複数のカム部を備えた環状の係合解除部材と、
使用者に操作されることによって、前記係合解除部材を前記装置本体に対して回動させる操作部材とを有することを特徴とするアクセサリ装着装置。
【請求項２】
前記係合部材を付勢する付勢部材が、前記複数の係合部材のうち前記装置本体の周方向にて隣り合う一対の係合部材ごとに、かつ対をなす２つの係合部材の間に配置されて、前記一対の係合部材の双方を前記係合位置の方向に付勢することを特徴とする請求項１に記載のアクセサリ装着装置。
【請求項３】
前記操作部材が、前記装置本体の径方向に操作され、
前記操作部材の径方向の操作力を前記係合解除部材の回動力に変換する変換部材を有することを特徴とする請求項１又は２に記載のアクセサリ装着装置。
【請求項４】
請求項１から３のいずれか１つに記載のアクセサリ装着装置と、このアクセサリ装着装置により支持されるカメラアクセサリと、前記アクセサリ装着装置が装着されるレンズ鏡筒を備えたカメラとを有することを特徴とするカメラシステム。
【請求項５】
前記カメラアクセサリが照明装置であることを特徴とする請求項４に記載のカメラシステム。
【手続補正２】
【補正対象書類名】明細書
【補正対象項目名】０００５
【補正方法】変更
【補正の内容】
【０００５】
上記係合部材にはそれぞれ、トーションバネ（付勢部材）が掛けられており、左右それぞれにて対をなす係合部材に当接可能な操作部材が設けられている。これらの左右に突出する操作部材を押圧操作することで、嵌合部材を直接退避動作させてレンズ鏡筒への着脱を行う。
【手続補正３】
【補正対象書類名】明細書
【補正対象項目名】００１８
【補正方法】変更
【補正の内容】
【００１８】
そこで、本発明は、操作部材の操作により複数の係合部材の係合解除操作を行うことができ、さらにはできるだけ小型のアクセサリ装着装置を提供することを目的とする。
【手続補正４】
【補正対象書類名】明細書
【補正対象項目名】００１９
【補正方法】変更
【補正の内容】
【００１９】
【課題を解決するための手段】
上記の目的を達成するために、本発明では、レンズ鏡筒の外周に着脱可能に装着され、カメラアクセサリを支持するアクセサリ装着装置を、装置本体の周方向複数箇所において、レンズ鏡筒側に環状形成された係合溝部に対して係合可能な係合位置と係合解除が可能な解除位置とに移動可能に支持されるとともに、係合位置の方向に付勢された複数の係合部材と、装置本体の周方向に回動可能であって、回動時に複数の係合部材を係合位置の方向への付勢力に抗して解除位置に移動させる複数のカム部を備えた環状の係合解除部材と、使用者に操作されることによって、前記係合解除部材を前記装置本体に対して回動させる操作部材とを有する。
【手続補正５】
【補正対象書類名】明細書
【補正対象項目名】００２０
【補正方法】変更
【補正の内容】
【００２０】
これにより、操作部材を操作するだけで、係合解除部材を回動させ、この係合解除部材の複数のカム部によって全ての係合部材を解除位置に移動させることが可能となる。このように、複数の係合部材を解除動作させるのに操作部材を操作するだけでよいので、アクセサリ装着装置のレンズ鏡筒に対する着脱を容易に行えるだけでなく、装置本体上でのカメラアクセサリの支持位置の選択自由度を大きくすることが可能となる。
【手続補正６】
【補正対象書類名】明細書
【補正対象項目名】００２２
【補正方法】変更
【補正の内容】
【００２２】
なお、係合部材を付勢する付勢部材を、複数の係合部材のうち装置本体の周方向にて隣り合う一対の係合部材ごとに、かつ対をなす２つの係合部材の間に配置し、一対の係合部材の双方を係合位置の方向に付勢するようにすることにより、複数の係合部材および係合部材数に比べて少ない（半分の）数の付勢部材を概ね環状にスペース効率良く配置することが可能となり、アクセサリ装着装置の小型化を図ることが可能となる。
【手続補正７】
【補正対象書類名】明細書
【補正対象項目名】００２３
【補正方法】変更
【補正の内容】
【００２３】
また、特に、上記操作部材を、装置本体の径方向に操作されるようにし、この操作部材の径方向の操作力を係合解除部材の回動力に変換する変換部材を設けることによって、着脱操作性を良くすることが可能である。
【手続補正８】
【補正対象書類名】明細書
【補正対象項目名】００２５
【補正方法】変更
【補正の内容】
【００２５】
各ストロボ３４，３５は、不図示のキセノン管を内蔵し、正面に発光パネル３４ｄ，３５ｄを備える。このストロボ３４，３５は、脚部３４ｂ（ストロボ３５側は不図示）に対してストロボ発光部が首振り可能に取り付けられて構成されている。これにより、ストロボ３４，３５をアクセサリ装着装置３０を介してレンズ鏡筒４０に装着した状態で、被写体の位置等に合わせてストロボ発光部の向きを調整することができる。
【手続補正９】
【補正対象書類名】明細書
【補正対象項目名】００２６
【補正方法】変更
【補正の内容】
【００２６】
ケーブル３４ａ，３５ａは、カメラ本体に取り付けられる不図示の制御部に接続されている。なお、制御部には、操作パネルや電源やストロボ発光用のメインコンデンサなどを備えている。
【手続補正１０】
【補正対象書類名】明細書
【補正対象項目名】００２８
【補正方法】変更
【補正の内容】
【００２８】
本体部３１の外周左右には、ラチェット１ｈを内包する台座収納部３１ａが設けられており、ここに台座部３２，３３が取り付けられる。台座部３２，３３は台座収納部３１ａの範囲内で旋回可能であるとともに、ラチェット１ｈとの係合により任意の旋回位置で固定可能である。
【手続補正１１】
【補正対象書類名】明細書
【補正対象項目名】００２９
【補正方法】変更
【補正の内容】
【００２９】
本体部３１は、その下面３１ｂが略水平に切り欠かれた形状をしている。これは接写撮影時において本体部３１の下面３１ｂが地面等に干渉しないようにするためのものである。
【手続補正１２】
【補正対象書類名】明細書
【補正対象項目名】００３３
【補正方法】変更
【補正の内容】
【００３３】
装着装置３０は上記鏡筒嵌合面１ｋをレンズ鏡筒４０に径嵌合させ、係止フック７〜１０の係合爪部７ａ〜１０ａをレンズ鏡筒４０の先端部に環状に形成された係合溝部４０ａに係合させることでレンズ鏡筒に保持される。
【手続補正１３】
【補正対象書類名】明細書
【補正対象項目名】００３４
【補正方法】変更
【補正の内容】
【００３４】
本体部３１の上部には、係止フック７〜１０の係合爪部７ａ〜１０ａを鏡筒嵌合面１ｋから退避させるために操作される単一の操作ボタン（操作部材）５がある。係合爪部７ａ〜１０ａがレンズ鏡筒４０の係合溝部４０ａに係合した状態でこの操作ボタン５を本体部３１の径方向内側に向かって押圧操作することで、係止フック７〜１０を退避動作させて上記係合を解除し、装着装置３０をレンズ鏡筒４０から取り外すことができる。
【手続補正１４】
【補正対象書類名】明細書
【補正対象項目名】００３５
【補正方法】変更
【補正の内容】
【００３５】
なお、本実施形態では、係合溝部４０ａがレンズ鏡筒４０に一体形成された場合を示しているが、レンズ鏡筒の先端に備えられたフィルター取付け用のネジ部に固着されたアダプターリングに、係合溝部４０ａに相当する溝部が形成されていてもよい。
【手続補正１５】
【補正対象書類名】明細書
【補正対象項目名】００３９
【補正方法】変更
【補正の内容】
【００３９】
リアケース１の内側に、円周方向に略均等間隔で配置された取付ボス１ａ，１ｂ，１ｃ，１ｄには、係止フック７，８，９，１０に形成された嵌合穴部７ｂ，８ｂ，９ｂ，１０ｂが回動可能に嵌合している。係止フック７〜１０は、この取付ボス１ａ〜１ｄを中心として２方向に腕が延びた形状を有しており、これら腕部のうち一方の腕部の先端に上記係合爪部７ａ〜１０ａが形成されている。
【手続補正１６】
【補正対象書類名】明細書
【補正対象項目名】００４０
【補正方法】変更
【補正の内容】
【００４０】
本実施形態では、本体部３１の円周方向に４つの係止フック７〜１０が配置されているが、このうち円周方向にて隣り合う一対の係止フック７，８の間および他の一対の係止フック９，１０の間にはそれぞれ、トーションバネ（付勢部材）１１，１２が配置されている。
【手続補正１７】
【補正対象書類名】明細書
【補正対象項目名】００４３
【補正方法】変更
【補正の内容】
【００４３】
図２に示すように、リアケース１には、係止フック７〜１０および係止バネ１１，１２が略環状となって配置される。そして、これらの部材の前側に重なるように、解除リング（係合解除部材）４が、リアケース１の内側に形成されたリング嵌合部１ｉに回動可能に取り付けられる。解除リング４の係合穴４ｅには、クランク６の係合ピン６ｂが係合する。
【手続補正１８】
【補正対象書類名】明細書
【補正対象項目名】００４６
【補正方法】変更
【補正の内容】
【００４６】
台座部３２，３３は台座ケース１３と台座カバー１４とを構造部材として構成されている。これら台座部３２，３３は、台座ケース１３の脚部を本体部３１の脚収納部に挿入することで本体部３１に保持されるが、台座ケース１３の係合突起１３ａをフロントケース２の内側に形成されたフロントレール２ｃに嵌合させるとともに台座カバー１４の係合突起１４ａをリアケース１に形成されたリアレール１ｊに径嵌合させることでガタつきが防止される。
【手続補正１９】
【補正対象書類名】明細書
【補正対象項目名】００４８
【補正方法】変更
【補正の内容】
【００４８】
ラチェット爪１５と保持板２０との間には、圧縮コイルバネである係合バネ１９が掛けられており、係合バネ１９の付勢力はラチェット爪１５の爪部１５ａがラチェット１ｈと係合する力を与えるとともに、保持板２０に前述のストロボ３４，３５の脚部３４ｂの保持力を与える。ラチェット爪１５とラチェット１ｈの係合により、台座部３２，３３はラチェット１ｈのピッチで決まる任意の位置にて保持される。
【手続補正２０】
【補正対象書類名】明細書
【補正対象項目名】００５２
【補正方法】変更
【補正の内容】
【００５２】
レンズ鏡筒４０に装着装置３０が装着された状態では、図４に示すように、係止フック８，１０の係止爪部８ａ，１０ａに形成されたテーパー状の付勢面８ｄ，１０ｄが、レンズ鏡筒４０の係合溝部４０ａのエッジ４０ｃに当接する（他の係止フック７，９も同様である）。
【手続補正２１】
【補正対象書類名】明細書
【補正対象項目名】００５３
【補正方法】変更
【補正の内容】
【００５３】
従って、トーションバネ１１，１２の付勢力は、レンズ鏡筒４０を挟み込むように作用するとともに、レンズ鏡筒４０の先端面４０ｂをリアケース１の鏡筒突き当て面１ｇに押し付けるように作用し、レンズ鏡筒４０を確実に保持する。
【手続補正２２】
【補正対象書類名】明細書
【補正対象項目名】００５４
【補正方法】変更
【補正の内容】
【００５４】
上記のように係合溝部４０ａと係合する係合位置にある係止フック７〜１０の係合解除動作は解除リング４により行う。
【手続補正２３】
【補正対象書類名】明細書
【補正対象項目名】００５６
【補正方法】変更
【補正の内容】
【００５６】
レンズ鏡筒４０に装着されている時など、操作ボタン５が操作されていない状態では、解除リング４は自由状態にあり、上記カム面４ａ〜４ｄはカムフォロアー部７ｃ〜１０ｃに何ら作用しない。
【手続補正２４】
【補正対象書類名】明細書
【補正対象項目名】００５８
【補正方法】変更
【補正の内容】
【００５８】
これにより、クランク６の係合ピン６ｂに係合する解除リング４は、レンズ鏡筒４０の光軸と略同一な中心軸４ｆ周りで反時計回り方向に旋回する。
【手続補正２５】
【補正対象書類名】明細書
【補正対象項目名】００５９
【補正方法】変更
【補正の内容】
【００５９】
解除リング４が反時計回り方向に旋回すると、解除リング４の各カム面４ａ〜４ｄが各係止フック７〜１０のカムフォロアー部７ｃ〜１０ｃと当接して各係止フック７〜１０をトーションバネ１１，１２の付勢力に抗して係合爪部７ａ〜１０ａが退避する方向、すなわち解除位置に回動させ、図３に示す状態とする。
【手続補正２６】
【補正対象書類名】明細書
【補正対象項目名】００６０
【補正方法】変更
【補正の内容】
【００６０】
こうして、係止フック７〜１０とレンズ鏡筒４０の係合溝部４０ａとの係合が解除され、装着装置３０のレンズ鏡筒４０からの取り外しが可能となる。
【手続補正２７】
【補正対象書類名】明細書
【補正対象項目名】００６９
【補正方法】変更
【補正の内容】
【００６９】
【発明の効果】
以上説明したように、本発明によれば、操作部材を操作するだけで、係合解除部材を回動させ、この係合解除部材の複数のカム部によって全ての係合部材を解除位置に移動させることができる。すなわち、複数の係合部材を解除動作させるのに操作部材を操作するだけでよいので、アクセサリ装着装置のレンズ鏡筒に対する着脱を容易に行えるだけでなく、装置本体上でのカメラアクセサリの支持位置の選択自由度を大きくすることができる。
【手続補正２８】
【補正対象書類名】明細書
【補正対象項目名】００７０
【補正方法】変更
【補正の内容】
【００７０】
なお、係合部材を付勢する付勢部材を、複数の係合部材のうち装置本体の周方向にて隣り合う一対の係合部材ごとに、かつ対をなす２つの係合部材の間に配置し、一対の係合部材の双方を係合位置の方向に付勢するようにすることにより、複数の係合部材および係合部材の数に比べて少ない数の付勢部材を概ね環状にスペース効率良く配置することができ、アクセサリ装着装置の小型化を図ることができる。
【手続補正２９】
【補正対象書類名】明細書
【補正対象項目名】００７１
【補正方法】変更
【補正の内容】
【００７１】
また、特に、上記操作部材を、装置本体の径方向に操作されるようにし、この操作部材の径方向の操作力を係合解除部材の回動力に変換する変換部材を設ければ、着脱操作性を良くすることができる。
【手続補正３０】
【補正対象書類名】図面
【補正対象項目名】図２
【補正方法】変更
【補正の内容】
【図２】
2002287241.tif 000001
【手続補正３１】
【補正対象書類名】図面
【補正対象項目名】図３
【補正方法】変更
【補正の内容】
【図３】
2002287241.tif 000002
【手続補正３２】
【補正対象書類名】図面
【補正対象項目名】図４
【補正方法】変更
【補正の内容】
【図４】
2002287241.tif 000003